(57)【要約】【課題】  表示システムにおける高精細化に伴う表示制御装置とメモリ間のデータ転送におけるＥＭＩを低減する。【解決手段】  ３２ビット幅のメモリを有する表示システムにおいて、Ｒ，Ｇ，Ｂ各８ビットの映像データの格納で生じる余り８ビットにポラリテイ信号を割り当てて転送する。これにより、制御装置ＣＴＬとメモリＭ間に同時変化するデータ線を増加させる必要がなく、したがってＥＭＩが低減する。【選択図】        図１
2005156786.tif 000002
【特許請求の範囲】
【請求項１】
表示パネルと、この表示パネルに映像データを表示するための表示制御装置とを有し、前記表示制御装置は、制御装置とメモリおよび表示パネルコントローラを有し、前記映像データを前記制御装置から前記メモリに一旦格納した後、読み出して前記表示パネルに表示する際に、表示される前記映像データが所定の期間毎に極性を反転して前記表示パネルに供給されるようにした表示装置の駆動方法であって、
前記映像データの１画素のビット幅がｎビットで、前記メモリのビット幅がｍビットで、かつｎ＜ｍであるとき、
前記極性の反転を示すポラリティ信号ビットを前記（ｍ−ｎ）の差ビットに割り当てて、前記制御装置と前記メモリの間で転送することを特徴とする表示装置の駆動方法。
【請求項２】
前記映像データの１画素当たりのビット幅が２４ビットであり、前記メモリの１画素当たりのビット幅が３２ビットであることを特徴とする請求項１に記載の表示装置の駆動方法。
【請求項３】
前記映像データの１画素当たりのビット幅が３０ビットであり、前記メモリの１画素当たりのビット幅が３２ビットであることを特徴とする請求項１に記載の表示装置の駆動方法。
【発明の詳細な説明】
【技術分野】
【０００１】
本発明は、アクティブ・マトリクス型の表示装置に関し、特にマトリクス配列された画素毎の表示データ（映像データ）をメモリに格納する表示システムにおける高精細化に伴う表示制御装置とメモリ間のポラリテイ信号を画素ビット幅の一部に持たせてＥＭＩの低減に好適なものである。
【背景技術】
【０００２】
テレビ用途の表示装置として、液晶パネルやプラズマパネル等を用いた平板型表示装置が実用化されている。テレビ映像のように、動画像の表示品質を向上する手段としてオーバードライブ処理を施するものがある。これについて、以下では液晶表示装置を例として説明する。液晶表示装置は、主として表示部（液晶パネル）と表示制御装置（駆動制御ＩＣとも称する）とから構成される。液晶表示装置では、その表示パネル（液晶パネル）に表示する表示データは、一旦メモリに格納し、これを読み出して１水平期間毎、あるいは１垂直期間毎に交流化された信号に変換される。この交流化された信号は、上記のポラリテイ信号により極性が指定される。
【０００３】
なお、液晶表示装置をオーバードライブ駆動に関しては、特許文献１や特許文献２に開示されており、またアクティブ・マトリクス型の表示装置において、このような極性反転表示を行うものに関しては、特許文献３を挙げることができる。
【特許文献１】特願２００３−２９７１３号公報
【特許文献２】特願２００３−１４３５５６号公報
【特許文献３】特願２００３−８４７２４号公報
【発明の開示】
【発明が解決しようとする課題】
【０００４】
表示制御装置から液晶パネルに出力される信号は、映像データと各種のタイミング／制御信号に加えて、ポラリティ信号を称する制御信号が存在している。このポラリティ信号は反転信号に宛がうビットである。図１はオーバードライブ処理システムを備えた映像信号処理システムを説明するブロック図である。映像データは赤（Ｒ）、緑（Ｇ）、青（Ｂ）の３色データからなり、各Ｒ，Ｇ，Ｂデータはそれぞれ８ビットまたは１０ビットで構成されている。オーバードライブ処理のように、２４ビットデータおよび３０ビットデータをメモリに格納し、処理を行うシステムでは、１画素毎にメモリにデータを格納する必要があるが、映像データは精細ドライバが上昇することによって１画素毎の映像データの周波数が高くなる。この周波数の高まりに伴って、所謂ＥＭＩ特性が劣化する。このようなＥＭＩ特性の劣化を低減することが課題の一つとなっていた。
【課題を解決するための手段】
【０００５】
現在、映像用メモリとしては３２ビット幅のものが主流となっている。したがって、２４ビットや３０ビットの映像データに対してはビット幅に余りが生じる。本発明は、この余ったビットにポラリティ信号を割り当ててポラリティビットとする。また、２４ビット幅の映像データの場合には、３２ビット幅の映像メモリに８ビットの余りが出るので、この８ビット全て、または、いずれかのビットをポラリティビットとする。３０ビット幅の映像データの場合には、映像メモリに２ビットの余りが出るので、この２ビット全て、または１ビットをポラリティビットとする。ポラリティビットの算出範囲は、Ｒ，Ｇ，Ｂ毎、または全ビット、及び全ビットの１／２を対象に算出する、等の方法がある。
【発明の効果】
【０００６】
オーバードライブ処理システムなどを含む表示制御装置（表示制御ＩＣ）と映像データ格納用メモリが存在する動画像用途の表示装置では、表示制御ＩＣとメモリとの間のデータバスに本発明を適用することにより、同時変化するデータ線が減少し、ＥＭＩが低減する。また、表示制御ＩＣとメモリ間のＥＭＩが低減することによって、全体としてＥＭＩを低減した表示装置を提供できる。
【発明を実施するための最良の形態】
【０００７】
以下、本発明について、実施例の図面を参照して詳細に説明する。
【実施例１】
【０００８】
図１は本発明の実施例１を説明するためのオーバードライブ処理システムを用いた表示装置の表示データ処理システムの要部ブロック図である。この表示データ処理システムは、表示制御装置を制御装置と表示パネルコントローラとに分離した形式である。すなわち、この表示データ処理システムは、制御装置（制御ＩＣ）ＣＴＬ、メモリＭ、表示パネルコントローラＣＯＮＴで構成される。ここでは、メモリＭはフレームメモリである。なお、表示パネルコントローラＣＯＮＴには、表示パネルにおける映像データの表示のための各種タイミング信号を生成するタイミングコントローラＴＣＯＮを備えている。また、図１においては、データ線のみを示し、メモリＭも一個と限らない。
【０００９】
図１において、１画素がＲ，Ｇ，Ｂ各８ビット、または１０ビットの映像データＤ１は制御装置ＣＴＬから３２ビット幅のメモリＭに画素毎に格納される。この時、２４ビットまたは３０ビットの各画素の映像データＤ１にはα個のポラリティビットが付加されて（２４＋α）ビット、または（３０＋α）ビットとしたデータＤｎをメモリに格納する。制御装置ＣＴＬは、メモリＭからデータＤｎを読出して、これを処理データＤ２として表示パネルコントローラＣＯＮＴに与える。表示パネルコントローラＣＯＮＴはこの処理データＤ２に基づいて表示データＤ３を生成し、表示パネルに出力する。
【００１０】
このように、制御装置ＣＴＬとメモリＭの間のデータバスの余りにポラリティビットを割り当てて転送するため、同時変化するデータ線を増加させる必要がなく、したがって、ＥＭＩが低減し、全体として表示装置全体のＥＭＩが低減される。なお、制御装置ＣＴＬでは、２４ビットまたは３０ビットデータのパラレル化などによって、ビット幅を変更する場合もある。この場合は、制御装置ＣＴＬと表示パネルコントローラＣＯＮＴの間のＥＭＩも低減できる。
【実施例２】
【００１１】
図２は本発明の実施例２を説明するためのオーバードライブ処理システムを用いた表示装置の表示データ処理システムの要部ブロック図である。この表示データ処理システムは、オーバードライブ処理用の表示制御装置を表示パネルコントローラに内蔵して構成全体を簡略化した形式とした点を除いて、図１で説明した実施例１と同様である。実施例１と同様に、この表示データ処理システムは、制御装置を内蔵した表示パネルコントローラＣＯＮＴとメモリＭで構成される。なお、図１の実施例と同様に、表示パネルコントローラＣＯＮＴには、表示パネルにおける映像データの表示のための各種タイミング信号を生成するタイミングコントローラＴＣＯＮを備えている。図２においても同様に、データ線のみを示し、メモリＭも一個と限らない。
【００１２】
１画素Ｒ，Ｇ，Ｂ各８ビット、または１０ビットの映像データＤ１は表示パネルコントローラＣＯＮＴから３２ビット幅のメモリＭに格納される。この時、前記実施例と同様に、２４ビットまたは３０ビットの映像データＤ１にはα個のポラリティビットが付加されて（２４＋α）ビット、または（３０＋α）ビットとしたデータＤｎをメモリに格納する。表示パネルコントローラＣＯＮＴは、メモリＭからデータＤｎを読出して実施例１と同様の処理を施し、これを表示データＤ３として表示パネルに出力する。
【００１３】
このように、本実施例によっても、表示パネルコントローラＣＯＮＴとメモリＭの間のデータバスの余りにポラリティビットを割り当てて転送するため、同時変化するデータ線を増加させる必要がなく、したがって、ＥＭＩが低減し、全体として表示装置全体のＥＭＩが低減される。
【００１４】
図３はメモリに格納するＲ，Ｇ，Ｂ各８ビットの映像データのデータ構造の第１例の説明図である。図３では、３２ビット幅のメモリにＲ，Ｇ，Ｂ各８ビット、計２４ビットの映像データを先頭からこの順に格納する。このとき、メモリＭの後方には８ビットの余りが存在する。この８ビットにポラリティビットを割り当てる。なお、ポラリティビットの付加位置、および各色データの位置は、その順序を含めて図３に示したものに限らない。例えば、図４に示した構成とすることができる。
【００１５】
図４はメモリに格納するＲ，Ｇ，Ｂ各８ビットの映像データのデータ構造の第２例の説明図である。図４では、最初の２ビットを開けてＲ，Ｇ，Ｂの一つのデータの８ビットを格納する。その後に２ビットを開けてＲ，Ｇ，Ｂの二つ目のデータの８ビットを格納する。同様にして、２ビットを開けて三つめのデータの８ビットを格納する。そして、上記の各２ビットの合計８ビットにポラリティビットを割り当てる。
【００１６】
図５はメモリに格納するＲ，Ｇ，Ｂ各１０ビットの映像データのデータ構造の第１例の説明図である。図５では、３２ビット幅のメモリにＲ，Ｇ，Ｂ各１０ビット、計３０ビットの映像データを先頭からこの順に格納する。このとき、メモリの後方には２ビットの余りが存在する。この２ビットにポラリティビットを割り当てる。なお、ポラリティビットの付加位置、および各色データの位置は、その順序を含めて図５に示したものに限らない。例えば、図６に示した構成とすることができる。
【００１７】
図６はメモリに格納するＲ，Ｇ，Ｂ各１０ビットの映像データのデータ構造の第２例の説明図である。図６では、最初の２ビットを開けてＲ，Ｇ，Ｂの一つのデータの１０ビットを順に、Ｒ，Ｇ，Ｂを続けて格納する。そして、上記の先頭の２ビットにポラリティビットを割り当てる。
【００１８】
上記各実施例におけるポラリティビットは、Ｒ，Ｇ，Ｂの１画素毎（ビット反転）、または１走査ライン毎（ライン反転）、あるいは１フレーム毎（フレーム反転）のタイミングで生成することができる。これに関連して、メモリＭとしてフレームメモリを用いるものに限らず、ラインメモリを用いたものにも同様に適用できる。
【産業上の利用可能性】
【００１９】
本発明は、上記の各実施例で説明したような動画像表示に適した液晶表示装置に限るものではなく、他の表示パネルを用いた同様の反転駆動方式を採用する表示装置にも同様に適用できる。
【図面の簡単な説明】
【００２０】
【図１】本発明の実施例１を説明するためのオーバードライブ処理システムを用いた表示装置の表示データ処理システムの要部ブロック図である。
【図２】本発明の実施例２を説明するためのオーバードライブ処理システムを用いた表示装置の表示データ処理システムの要部ブロック図である。
【図３】メモリに格納するＲ，Ｇ，Ｂ各８ビットの映像データのデータ構造の第１例の説明図である。
【図４】メモリに格納するＲ，Ｇ，Ｂ各８ビットの映像データのデータ構造の第２例の説明図である。
【図５】メモリに格納するＲ，Ｇ，Ｂ各１０ビットの映像データのデータ構造の第１例の説明図である。
【図６】メモリに格納するＲ，Ｇ，Ｂ各１０ビットの映像データのデータ構造の第２例の説明図である。
【符号の説明】
【００２１】
ＣＴＬ・・・制御装置
Ｍ・・・メモリ
ＣＯＮＴ・・・表示パネルコントローラ
ＴＣＯＮ・・・タイミングコントローラ。
【図１】
2005156786.tif 000003
【図２】
2005156786.tif 000004
【図３】
2005156786.tif 000005
【図４】
2005156786.tif 000006
【図５】
2005156786.tif 000007
【図６】
2005156786.tif 000008